(57)【特許請求の範囲】
【請求項１】
管理単位となるチャプタと１以上の該チャプタで構成されるタイトルからなり、映像と音声の少なくとも一方を含むＡＶデータを記録再生する記録再生装置において、
ＡＶデータを記録した第１の記録媒体と、該第１の記録媒体よりもデータの読み書きを高速に行う第２の記録媒体と、ＡＶデータを記録した外部記録媒体を着脱可能に装着するための外部入力インタフェイスと、前記第１の記録媒体又は前記外部記録媒体に記録されているＡＶデータの特徴映像をタイトル単位及び／又はチャプタ単位に含まれる所定のデータから作成し、該作成した特徴映像のうち表示可能性の高い特徴映像を前記第２の記録媒体に優先的に記録し、それ以外の特徴映像を前記第１の記録媒体の所定の記録領域に記録する特徴映像作成手段と、前記第１の記録媒体又は前記外部記録媒体に記録されているＡＶデータのタイトル単位の特徴映像を表示するタイトル映像選択画面及びタイトルに応じたチャプタ単位の特徴映像を表示するチャプタ映像選択画面をユーザ操作によって切り替える選択画面切替手段とを備え、
前記特徴映像作成手段は、前記タイトル映像選択画面又は前記チャプタ映像選択画面のいずれか一方の画面の特徴映像が表示されたときに、前記選択画面切替手段により切り替え表示される他方の画面の特徴映像を表示可能性が高いと判断し、該他方の画面の特徴映像を作成することを特徴とする記録再生装置。
【請求項２】
請求項１に記載の記録再生装置において、前記第１の記録媒体は磁気ディスクであり、前記第２の記録媒体は半導体メモリであることを特徴とする記録再生装置。
【請求項３】
請求項１又は２に記載の記録再生装置において、前記選択画面切替手段は、前記第１の記録媒体又は前記外部記録媒体に記録されているオリジナルのＡＶデータに応じた特徴映像を表示するオリジナル映像選択画面と、オリジナルのＡＶデータを編集して作成されるプレイリストに応じた特徴映像を表示するプレイリスト映像選択画面とをユーザ操作によって切り替え、
前記特徴映像作成手段は、前記オリジナル映像選択画面又は前記プレイリスト映像選択画面のいずれか一方の画面の特徴映像が表示されたときに、前記選択画面切替手段により切り替え表示される他方の画面の特徴映像を表示可能性が高いと判断し、該他方の画面の特徴映像を作成することを特徴とする記録再生装置。
【請求項４】
請求項３に記載の記録再生装置において、前記タイトル映像選択画面、前記チャプタ映像選択画面、前記オリジナル映像選択画面、前記プレイリスト映像選択画面のいずれか１又は複数の画面は、切替表示可能な複数ページで構成され、
前記特徴映像作成手段は、任意のページの特徴映像が表示されたときに、そのページより前あるいは後の所定ページ分にわたって表示される特徴映像を表示可能性が高いと判断することを特徴とする記録再生装置。
【請求項５】
請求項１〜３のいずれか１項に記載の記録再生装置において、前記特徴映像作成手段は、複数のデコーダを備え、前記第１の記録媒体又は前記外部記録媒体に記録されているＡＶデータの特徴映像を２以上同時に作成し、該作成完了した順に表示可能としたことを特徴とする記録再生装置。
【請求項６】
請求項１〜３のいずれか１項に記載の記録再生装置において、前記第１の記録媒体は、該第１の記録媒体又は前記第２の記録媒体に記録されている特徴映像それぞれの有効／無効を示す情報を含む管理情報を１つのファイルに保持することを特徴とする記録再生装置。
【請求項７】
管理単位となるチャプタと１以上の該チャプタで構成されるタイトルからなり、映像と音声の少なくとも一方を含むＡＶデータを記録再生するためのＡＶデータの特徴映像作成方法において、
ＡＶデータを記録した第１の記録媒体あるいは外部入力インタフェイスを介して装着された外部記録媒体にアクセスするステップと、前記第１の記録媒体又は前記外部記録媒体に記録されているＡＶデータの特徴映像をタイトル単位及び／又はチャプタ単位に含まれる所定のデータから作成し、該作成した特徴映像のうち表示可能性の高い特徴映像を前記第１の記録媒体よりもデータの読み書きを高速に行う第２の記録媒体に優先的に記録し、それ以外の特徴映像を前記第１の記録媒体の所定の記録領域に記録する特徴映像作成ステップと、前記第１の記録媒体又は前記外部記録媒体に記録されているＡＶデータのタイトル単位の特徴映像を表示するタイトル映像選択画面及びタイトルに応じたチャプタ単位の特徴映像を表示するチャプタ映像選択画面をユーザ操作によって切り替える選択画面切替ステップとを備え、
前記特徴映像作成ステップは、前記タイトル映像選択画面又は前記チャプタ映像選択画面のいずれか一方の画面の特徴映像が表示されたときに、前記選択画面切替ステップにより切り替え表示される他方の画面の特徴映像を表示可能性が高いと判断し、該他方の画面の特徴映像を作成することを特徴とするＡＶデータの特徴映像作成方法。
【請求項８】
前記選択画面切替ステップは、前記第１の記録媒体又は前記外部記録媒体に記録されているオリジナルのＡＶデータに応じた特徴映像を表示するオリジナル映像選択画面と、オリジナルのＡＶデータを編集して作成されるプレイリストに応じた特徴映像を表示するプレイリスト映像選択画面とをユーザ操作によって切り替え、
前記特徴映像作成ステップは、前記オリジナル映像選択画面又は前記プレイリスト映像選択画面のいずれか一方の画面の特徴映像が表示されたときに、前記選択画面切替ステップにより切り替え表示される他方の画面の特徴映像を表示可能性が高いと判断し、該他方の画面の特徴映像を作成することを特徴とする請求項７に記載のＡＶデータの特徴映像作成方法。
【請求項９】
複数のデコーダで前記第１の記録媒体又は前記外部記録媒体に記録されているＡＶデータの特徴映像を２以上同時に作成し、該作成完了した順に表示することを特徴とする請求項７又は８に記載のＡＶデータの特徴映像作成方法。
【請求項１０】
前記第１の記録媒体は、該第１の記録媒体又は前記第２の記録媒体に記録されている特徴映像それぞれの有効／無効を示す情報を含む管理情報を１つのファイルに保持することを特徴とする請求項７又は８に記載のＡＶデータの特徴映像作成方法。
【発明の詳細な説明】
【技術分野】
【０００１】
本発明は、記録再生装置及びＡＶデータの特徴映像作成方法、より詳細には、ハードディスクを内蔵したＤＶＤレコーダ等に適用可能な記録再生装置及びＡＶデータのサムネイル等を特徴映像として作成する方法に関する。
【背景技術】
【０００２】
近年、ハードディスクを内蔵したＤＶＤレコーダ等の記録再生装置の普及が始まっている。このような記録再生装置において、ハードディスクやＤＶＤなどの記録媒体に記録されているコンテンツを選択する際に、コンテンツに対応するサムネイル（縮小画像）を画面表示するといったことが行われている。これにより、ユーザはコンテンツの内容を容易に確認することができるため、例えば再生したいコンテンツを簡単に選択して再生することができる。
【０００３】
通常、上記サムネイルは表示のたびに作成されているため、その都度、表示待ち時間が発生する。例えば、複数の録画番組に対してそれぞれのサムネイルを同時に画面表示させる場合、録画した順番にサムネイルが作成され、最後の録画番組のサムネイルが表示されるまでに時間がかかっていた。このように、多くのサムネイルを同時に表示させようとすると、それだけ表示待ち時間がかかり、ユーザにとって使い勝手がよくなかった。
【０００４】
上記のごとく記録再生装置のサムネイル表示に関し、特許文献１では、記録媒体上に主記録データ中の特定情報の記録位置を示す位置情報を記録し、あるいは主記録データ中の特定情報を圧縮した圧縮情報（サムネイル等）を記録しておくことにより、ユーザが記録媒体上の記録データを直感的に把握できるようにしたものが開示されている。
【先行技術文献】
【特許文献】
【０００５】
【特許文献１】特開平１１−２１３６２８号公報
【発明の概要】
【発明が解決しようとする課題】
【０００６】
しかしながら、上記特許文献１に記載の発明は、映像情報のタイトル単位で記録する時にそのサムネイルを常に作成するため、記録した映像情報に対してサムネイル表示させるかどうかに関係なく、サムネイルは作成されてしまう。従って、作成されたサムネイルは次々に記録媒体に記録されていき、記録領域を無駄に占有してしまうことがある。
また、編集処理等により、映像情報（タイトル単位）を時系列に分割したチャプタ単位で削除、追加等の編集を行った場合、そのチャプタに対応したサムネイルを自動的に作成する構成になっていないため、ユーザはその都度サムネイルを作成しなくてはならず、使い勝手がよくなかった。
【０００７】
本発明は、上述のごとき実情に鑑みてなされたものであり、外部又は内蔵の記録媒体に記録されたＡＶデータの特徴映像を作成して所定の記録領域に記録しておくことにより、ＡＶデータの選択画面等において特徴映像を迅速に表示すると共に、外部又は内蔵の記録媒体に記録されたＡＶデータの特徴映像を適切なタイミングで作成できるようにして、記録領域を有効に利用し且つユーザの利便性を向上させること、を目的としてなされたものである。
【課題を解決するための手段】
【０００８】
上記課題を解決するために、第１の技術手段は、管理単位となるチャプタと１以上の該チャプタで構成されるタイトルからなり、映像と音声の少なくとも一方を含むＡＶデータを記録再生する記録再生装置において、ＡＶデータを記録した第１の記録媒体と、該第１の記録媒体よりもデータの読み書きを高速に行う第２の記録媒体と、ＡＶデータを記録した外部記録媒体を着脱可能に装着するための外部入力インタフェイスと、前記第１の記録媒体又は前記外部記録媒体に記録されているＡＶデータの特徴映像をタイトル単位及び／又はチャプタ単位に含まれる所定のデータから作成し、該作成した特徴映像のうち表示可能性の高い特徴映像を前記第２の記録媒体に優先的に記録し、それ以外の特徴映像を前記第１の記録媒体の所定の記録領域に記録する特徴映像作成手段と、前記第１の記録媒体又は前記外部記録媒体に記録されているＡＶデータのタイトル単位の特徴映像を表示するタイトル映像選択画面及びタイトルに応じたチャプタ単位の特徴映像を表示するチャプタ映像選択画面をユーザ操作によって切り替える選択画面切替手段とを備え、前記特徴映像作成手段は、前記タイトル映像選択画面又は前記チャプタ映像選択画面のいずれか一方の画面の特徴映像が表示されたときに、前記選択画面切替手段により切り替え表示される他方の画面の特徴映像を表示可能性が高いと判断し、該他方の画面の特徴映像を作成することを特徴としたものである。
【０００９】
第２の技術手段は、第１の技術手段において、前記第１の記録媒体は磁気ディスクであり、前記第２の記録媒体は半導体メモリであることを特徴としたものである。
【００１０】
第３の技術手段は、第１又は第２の技術手段において、前記選択画面切替手段は、前記第１の記録媒体又は前記外部記録媒体に記録されているオリジナルのＡＶデータに応じた特徴映像を表示するオリジナル映像選択画面と、オリジナルのＡＶデータを編集して作成されるプレイリストに応じた特徴映像を表示するプレイリスト映像選択画面とをユーザ操作によって切り替え、前記特徴映像作成手段は、前記オリジナル映像選択画面又は前記プレイリスト映像選択画面のいずれか一方の画面の特徴映像が表示されたときに、前記選択画面切替手段により切り替え表示される他方の画面の特徴映像を表示可能性が高いと判断し、該他方の画面の特徴映像を作成することを特徴としたものである。
【００１１】
第４の技術手段は、第３の技術手段において、前記タイトル映像選択画面、前記チャプタ映像選択画面、前記オリジナル映像選択画面、前記プレイリスト映像選択画面のいずれか１又は複数の画面は、切替表示可能な複数ページで構成され、前記特徴映像作成手段は、任意のページの特徴映像が表示されたときに、そのページより前あるいは後の所定ページ分にわたって表示される特徴映像を表示可能性が高いと判断することを特徴としたものである。
【００１２】
第５の技術手段は、第１〜第３のいずれか１の技術手段において、前記特徴映像作成手段は、複数のデコーダを備え、前記第１の記録媒体又は前記外部記録媒体に記録されているＡＶデータの特徴映像を２以上同時に作成し、該作成完了した順に表示可能としたことを特徴としたものである。
【００１３】
第６の技術手段は、第１〜第３のいずれか１の技術手段において、前記第１の記録媒体は、該第１の記録媒体又は前記第２の記録媒体に記録されている特徴映像それぞれの有効／無効を示す情報を含む管理情報を１つのファイルに保持することを特徴としたものである。
【００１４】
第７の技術手段は、管理単位となるチャプタと１以上の該チャプタで構成されるタイトルからなり、映像と音声の少なくとも一方を含むＡＶデータを記録再生するためのＡＶデータの特徴映像作成方法において、ＡＶデータを記録した第１の記録媒体あるいは外部入力インタフェイスを介して装着された外部記録媒体にアクセスするステップと、前記第１の記録媒体又は前記外部記録媒体に記録されているＡＶデータの特徴映像をタイトル単位及び／又はチャプタ単位に含まれる所定のデータから作成し、該作成した特徴映像のうち表示可能性の高い特徴映像を前記第１の記録媒体よりもデータの読み書きを高速に行う第２の記録媒体に優先的に記録し、それ以外の特徴映像を前記第１の記録媒体の所定の記録領域に記録する特徴映像作成ステップと、前記第１の記録媒体又は前記外部記録媒体に記録されているＡＶデータのタイトル単位の特徴映像を表示するタイトル映像選択画面及びタイトルに応じたチャプタ単位の特徴映像を表示するチャプタ映像選択画面をユーザ操作によって切り替える選択画面切替ステップとを備え、前記特徴映像作成ステップは、前記タイトル映像選択画面又は前記チャプタ映像選択画面のいずれか一方の画面の特徴映像が表示されたときに、前記選択画面切替ステップにより切り替え表示される他方の画面の特徴映像を表示可能性が高いと判断し、該他方の画面の特徴映像を作成することを特徴としたものである。
【００１５】
第８の技術手段は、第７の技術手段において、前記選択画面切替ステップは、前記第１の記録媒体又は前記外部記録媒体に記録されているオリジナルのＡＶデータに応じた特徴映像を表示するオリジナル映像選択画面と、オリジナルのＡＶデータを編集して作成されるプレイリストに応じた特徴映像を表示するプレイリスト映像選択画面とをユーザ操作によって切り替え、前記特徴映像作成ステップは、前記オリジナル映像選択画面又は前記プレイリスト映像選択画面のいずれか一方の画面の特徴映像が表示されたときに、前記選択画面切替ステップにより切り替え表示される他方の画面の特徴映像を表示可能性が高いと判断し、該他方の画面の特徴映像を作成することを特徴としたものである。
【００１６】
第９の技術手段は、第７又は第８の技術手段において、複数のデコーダで前記第１の記録媒体又は前記外部記録媒体に記録されているＡＶデータの特徴映像を２以上同時に作成し、該作成完了した順に表示することを特徴としたものである。
【００１７】
第１０の技術手段は、第７又は第８の技術手段において、前記第１の記録媒体は、該第１の記録媒体又は前記第２の記録媒体に記録されている特徴映像それぞれの有効／無効を示す情報を含む管理情報を１つのファイルに保持することを特徴としたものである。
【発明の効果】
【００１８】
外部又は内蔵の記録媒体に記録されたＡＶデータの特徴映像を作成して所定の記録領域に記録しておくことで、ＡＶデータの選択画面等において特徴映像を迅速に表示することができるため、表示待ち時間を発生させることがなくなる。
また、外部又は内蔵の記録媒体に記録されたＡＶデータの特徴映像を適切なタイミングで作成することができるため、作成された特徴映像により記録領域を無駄に占有することがなくなり、さらに、編集処理により新たに作成されたチャプタ等に対しても特徴映像を作成することができるため、ユーザの利便性を向上させることができる。
【図面の簡単な説明】
【００１９】
【図１】本発明の一実施形態に係る記録再生装置の構成例を示すブロック図である。
【図２】特徴映像を用いたＡＶデータ選択画面の一例を示す図である。
【図３】ＡＶデータ選択画面の遷移例を示す図である。
【図４】本発明が適用されるＡＶデータの特徴映像作成／表示方法の一例を説明するためのフロー図である。
【図５】複数の特徴映像を並列に作成する処理の一例を説明するためのフロー図である。
【図６】記録再生装置における特徴映像の格納方法の一例を示す図である。
【図７】記録再生装置による特徴映像作成処理の他の例を説明するための図である。
【発明を実施するための形態】
【００２０】
図１は、本発明の一実施形態に係る記録再生装置の構成例を示すブロック図で、図中、１０は記録再生装置で、該記録再生装置１０は、装置全体の処理を制御するためのＣＰＵやＲＯＭ等で構成される制御部１１、ＲＡＭやＳＲＡＭ等の半導体メモリからなるメモリ１２、リモコン等の操作入力手段１９からの操作信号を制御部１１に入力するユーザＩ／Ｆ１３、アンテナ（図示せず）を介してアナログ又はデジタルのテレビジョン放送信号を受信して再生手段１６あるいはハードディスク等の記録媒体（以下、ＨＤで代表する）１８に出力する受信手段１４、放送信号以外に光ディスクや半導体メモリ，リムーバブルハードディスクなどの外部記録媒体（以下、ＤＶＤで代表する）２１から所定のＡＶデータを入力するための外部入力インタフェイス（以下、外部入力Ｉ／Ｆ）１５、受信手段１４やＤＶＤ２１、ＨＤ１８から入力されるＡＶデータを再生して表示手段２０に出力する再生手段１６、ＨＤ１８あるいはＤＶＤ２１に記録されているＡＶデータの特徴映像を作成してメモリ１２あるいはＨＤ１８の所定の記録領域に記録する特徴映像作成手段１７を備えている。尚、上記表示手段２０は、例えば、ＣＲＴ装置やプラズマ表示装置、液晶表示装置、有機／無機ＥＬ装置といった表示装置である。
【００２１】
ＨＤ１８には、入力されたＡＶデータを記録するＡＶデータ領域１８ａ，特徴映像作成手段１７によって作成された特徴映像を記録するキャッシュ領域１８ｂが割り当てられており，さらに、上記特徴映像に関連付けられた管理情報１８ｃが１つのファイルに記録されている。管理情報１８ｃは、どのＡＶデータの特徴映像をキャッシュしているか、特徴映像の有効／無効を示す情報などが記録されており、参照時にＨＤ１８からメモリ１２に読み込まれる。また、上記ＡＶデータと特徴映像（キャッシュデータ）は同じ記録媒体に記録されることになるが、ＡＶデータは実時間性を、特徴映像（キャッシュデータ）は正確さを重視してそれぞれ異なるエラー制御を行うものとする。尚、図中、点線の矢印は制御信号の流れを示し、実線の矢印はデータの流れを示す。
【００２２】
ここで、上記特徴映像とは、サムネイル等の縮小映像に限らず、ＡＶデータの特徴を示す映像情報（すなわち、ＡＶデータを構成する映像の一部）であって、表示手段２０に表示可能な大きさであればよく、さらには、静止画に限らず、動画であってもよい。
【００２３】
図１に示す記録再生装置１０は、アナログ放送とデジタル放送（ＢＳ／ＣＳ／地上波）の両方を受信できる実施形態を代表例として説明するが、いずれか一方のみを受信できる形態としてもよく、あるいは、外部記録媒体であるＤＶＤ２１のみを再生可能な再生装置としての形態としてもよい。再生装置の場合には受信手段１４を不要としてもよい。
【００２４】
まず、記録再生装置１０を用いてアナログ放送を視聴する場合、受信手段１４は、アンテナを介して受信した高周波信号（アナログ変調信号）を復調し、その復調信号を再生手段１６に入力する。再生手段１６は、入力された復調信号から表示制御出力信号を生成し、その表示制御出力信号を表示手段２０に出力する。ユーザは表示制御出力信号に対応したアナログ放送番組を視聴することができる。
【００２５】
また、デジタル放送を視聴する場合、受信手段１４は、アンテナから入力された高周波信号（デジタル変調信号）復調し、その復調信号を再生手段１６に入力する。再生手段１６は、入力された復調信号を図示しない復号化手段（デコーダ）により映像信号と音声信号に復号した後、その復号信号から表示制御出力信号を生成し、その表示制御出力信号を表示手段２０に出力する。ユーザは表示制御出力信号に対応したデジタル放送番組を視聴することができる。尚、上記復号化手段は受信手段１４側に備えるようにしてもよい。
【００２６】
記録再生装置１０を用いてアナログ放送番組を記録する場合、受信手段１４は、アンテナから入力された高周波信号（アナログ変調信号）を復調し、その復調信号を図示しない符号化手段（エンコーダ）により符号化する。更に、符号化したデータを記録に適した形式（ストリーム）に変換してＨＤ１８又はＤＶＤ２１等の各種記録媒体等にＡＶデータとして記録する。
【００２７】
また、デジタル放送番組を記録する場合、受信手段１４は、アンテナから入力された高周波信号（デジタル変調信号）を復調してＨＤ１８又はＤＶＤ２１等の各種記録媒体にＡＶデータとして記録する。
【００２８】
ＨＤ１８又はＤＶＤ２１等に記録されているＡＶデータを記録再生装置１０により再生する場合、再生手段１６は、ＨＤ１８又はＤＶＤ２１等に記録されているＡＶデータを復号した後、映像出力可能な形式に変換して表示手段２０に出力する。
【００２９】
以下、記録再生装置１０を用いてＡＶデータから特徴映像（以下、サムネイルで代表する）を作成する方法について、ＭＰＥＧ２でエンコードされた動画を記録、再生可能なＨＤ内蔵型ＤＶＤレコーダに適用し、作成したサムネイルは全てキャッシュ領域に記録する場合を代表例として説明する。尚、本発明の説明で用いる用語を以下に定義しておく。
・「タイトル」とは、ＨＤ又はＤＶＤに録画／記録された映像単位（例えば、１つ１つの番組）のことをいい、１回の録画情報（開始〜停止）は１つのタイトルとなる。
・「チャプタ」とは、パートオブタイトルといい、上記タイトルを時間軸方向に区切ったもので、チャプタの集合がタイトルとなる。このチャプタは記録時にユーザ指定あるいは予め決められた規則（例えば、一定時間ごとの分割、ＣＭ等で分割）に基づいて設定することができる。また、後で編集処理により作成することもできる。
・「オリジナル」とは、ＨＤ又はＤＶＤに録画／記録された元の映像情報（オリジナルタイトル／チャプタ）のことをいう。
・「プレイリスト」とは、オリジナルを編集して作成されたもので、通常、プレイリストが作成された場合でも、オリジナルはそのまま保持される。
【００３０】
図１において、ＨＤ１８には、タイトル単位あるいはチャプタ単位でＡＶデータが記録され、同様に、ＤＶＤ２１にもタイトル単位あるいはチャプタ単位でＡＶデータが記録されているものとする。前述したように特徴映像作成手段１７は、ＨＤ１８あるいはＤＶＤ２１に記録されているＡＶデータのサムネイルを作成してＨＤ１８のキャッシュ領域１８ｂに記録する。本実施形態では、作成したサムネイルに対してキャッシュ領域１８ｂが必ず割り当てられる。
【００３１】
尚、ＳＲＡＭ等の半導体メモリからなるメモリ１２にキャッシュ領域を設けてもよい。メモリ１２は、ＨＤ１８よりデータの読み書きが高速であるため、表示可能性が高いサムネイルを優先的に記録してもよい。例えば、現在表示しているサムネイル、直前に表示していたサムネイル、後述する選択画面においてよく表示されるサムネイルなどを記録しておく。
【００３２】
ここで、特徴映像作成手段１７によるサムネイル作成方法について具体的に説明する。
まず、ＡＶデータの記録時において、ＡＶデータの記録開始／終了を自動的に検知して、そのとき（又は前後）の映像からサムネイルを作成したり、例えばあらかじめ設定された一定時間ごとにチャプタを生成したときや、または２ヶ国語／ステレオ／モノラルによるＣＭ判別機能を利用してチャプタを生成したときに、そのチャプタの先頭映像からサムネイルを作成してもよい。これらのサムネイル自動作成処理は、制御部１１のＣＰＵがＡＶデータのビットストリームを解析することで可能となる。
【００３３】
また、ユーザが、記録中の映像を画面上でモニタしながら、所望のタイミングで操作入力手段１９等からチャプタマークを入力し、これにより生成されたチャプタの先頭映像からサムネイルを作成してもよい。また、記録されたＡＶデータの編集処理時に、ユーザが、所望のタイミングで操作入力手段１９等からチャプタマークを入力し、これにより生成されたチャプタの先頭映像からサムネイルを作成してもよい。また、編集により任意シーンを削除した場合に生成されるチャプタの先頭映像からサムネイルを作成してもよい。
【００３４】
さらに、本実施形態ではビデオエンコードにＭＰＥＧ２を用いており、このＭＰＥＧ２はＧＯＰ（Ｇｒｏｕｐ  Ｏｆ  Ｐｉｃｔｕｒｅ）と呼ばれる単位でエンコードが行われる。ＧＯＰは、イントラ符号化画面（Ｉフレーム）と、インター符号化画面（Ｐフレーム、Ｂフレーム）とから構成され、後者は他の画面を参照して予測符号化を行う画面であるため、サムネイルに用いることはできない。これに対して、前者（Ｉフレーム）は自己の画面内でのみ符号化を行う画面であるため、このＩフレームから再構成してサムネイルを作成することができる。
【００３５】
図２は、特徴映像を用いたＡＶデータ選択画面の一例を示す図である。このようにＡＶデータ選択時には、特徴映像（サムネイル）とタイトル情報がセットされた状態で所定数（本例では６セット）表示される。ユーザは操作入力手段１９から所望のＡＶデータを選択して視聴することができる。表示可能なＡＶデータがさらにある場合、ページを切り替えることで次のＡＶデータを表示させることができる。この際、サムネイルを表示せずに、タイトル情報のみをリスト表示することができ、ユーザはこのタイトルリストから所望のＡＶデータを選択することもできる。
【００３６】
記録再生装置１０は、例えば、ＡＶデータの記録時にそのサムネイルをメモリ１２あるいはＨＤ１８にキャッシュした場合、図２に示すＡＶデータ選択画面を表示させるときに、該当するサムネイル（ここではタイトル単位）を迅速に表示することができる。
【００３７】
これまでＡＶデータの記録時にサムネイルを作成する場合について説明してきたが、本発明では、ＡＶデータ記録時にサムネイルを作成するとは限らない。すなわち、記録時にサムネイルを作成する場合の他に、サムネイルを最初に表示するときに作成する場合と、サムネイルを表示しそうになったときに作成する場合（すなわち、表示する可能性の高いサムネイルを判断して作成する場合）とがあり、各タイミングでサムネイルを作成することができる。このため、ＨＤ１８の管理情報１８ｃを記録する領域（すなわち、各特徴映像に応じた各管理情報の記録領域）は、以下の２通りの状態を取り得る。
（１）キャッシュ領域を割り当てている。この場合、管理情報１８ｃはキャッシュ領域１８ｂのどの部分を特徴映像に割り当てているかの情報を保持している。後述する図６に示すように、１つの特徴映像に対して１つの管理情報（すなわち、各管理情報１，２，３，…ｎ）が割り当てられており、管理情報１８ｃは、これらの個々の管理情報１，２，３，…ｎのことをいい、それぞれの特徴映像に関する情報を保持する。
（２）キャッシュ領域を割り当てていない。
【００３８】
また、ＨＤ１８のキャッシュ領域１８ｂの各部分（各特徴映像の記録領域）は、以下の３通りの状態を取り得る。
（１）サムネイルが記録されている（管理情報１８ｃから参照されている）
（２）特定のサムネイル用に割り当てられていない（管理情報１８ｃから未参照）
（３）特定のサムネイル用に割り当てられているが、サムネイルは未完成（管理情報１８ｃから参照されている）
【００３９】
上記したサムネイルの作成タイミングについて下記の図３に基づいて説明する。
図３は、ＡＶデータ選択画面の遷移例を示す図である。本例に示すＡＶデータ選択画面には、オリジナルのタイトルリスト選択画面３１，タイトル映像選択画面３２，チャプタ映像選択画面３３、さらに、プレイリストのタイトルリスト選択画面３４，タイトル映像選択画面３５，チャプタ映像選択画面３６からなる６つの画面パターンがあり、それぞれの選択画面ではページ切り替えが可能で、図中矢印の方向に遷移することができる。
【００４０】
上記タイトルリスト選択画面３１はオリジナルのタイトルのみ、すなわちＨＤ１８又はＤＶＤ２１に記録されているＡＶデータのタイトルのみをリスト表示し、タイトル映像選択画面３２はオリジナルのタイトル＋特徴映像、すなわち図２に示した選択画面であって、ＨＤ１８又はＤＶＤ２１に記録されているＡＶデータのタイトル単位のサムネイルを表示し、チャプタ映像選択画面３３はオリジナルのチャプタ＋特徴映像、すなわちタイトルに応じたチャプタ単位のサムネイルを表示する。
【００４１】
同様に、タイトルリスト選択画面３４，タイトル映像選択画面３５，チャプタ映像選択画面３６は、上記タイトルリスト選択画面３１，タイトル映像選択画面３２，チャプタ映像選択画面３３とそれぞれ同じ画面構成でプレイリスト表示したものである。
【００４２】
図３において、各選択画面の遷移は図示しない選択画面切替手段によって実行され、ユーザ操作で各選択画面を切り替えることができる。すなわち、タイトル映像選択画面３２（３５）／チャプタ映像選択画面３３（３６）の切り替えによる遷移（Ｓ１）、オリジナルのタイトルリスト選択画面３１（タイトル映像選択画面３２）／プレイリストのタイトルリスト選択画面３４（タイトル映像選択画面３５）の切り替えによる遷移（Ｓ２）、タイトルリスト選択画面３１（３４）／タイトル映像選択画面３２（３５）の切り替えによる遷移（Ｓ３）の３通りとなる。
【００４３】
前述したように、サムネイルを最初に表示するときに作成する場合、上記（Ｓ３）の遷移で作成するようにしてもよい。すなわち、特徴映像作成手段１７は、サムネイルが表示されていないタイトルリスト選択画面３１（３４）を表示したときに、タイトル映像選択画面３２（３５）への画面遷移で表示することになるサムネイルを先行して作成する。また、タイトルリスト選択画面３１（３４）に含まれる任意のタイトルを選択してサムネイルを表示したときに、タイトルリストに含まれる他のタイトルのサムネイルを同時に作成するようにしてもよい。
【００４４】
次に、表示する可能性の高いサムネイルを判断して作成する場合、上記（Ｓ１）あるいは（Ｓ２）の遷移で作成するようにしてもよい。すなわち、（Ｓ１）の遷移の場合、特徴映像作成手段１７は、タイトル映像選択画面３２（３５）を表示したときに、チャプタ映像選択画面３３（３６）への画面遷移で表示することになるサムネイルを表示可能性が高いと判断して先行作成する。また、チャプタ映像選択画面３３（３６）を表示したときに、タイトル映像選択画面３２（３５）への画面遷移で表示することになるサムネイルを先行して作成してもよい。この場合も、例えば、タイトル映像選択画面３２（３５）に含まれる任意のタイトルを選択したときに、タイトル映像選択画面３２（３５）に含まれる他のタイトルに対応するチャプタのサムネイルを同時に作成するようにしてもよい。
【００４５】
上記（Ｓ２）の遷移の場合、特徴映像作成手段１７は、オリジナルのタイトル映像選択画面３２を表示したときに、プレイリストのタイトル映像選択画面３５への画面遷移で表示することになるサムネイルを表示可能性が高いと判断して先行作成する。また、プレイリストのタイトル映像選択画面３５を表示したときに、オリジナルのタイトル映像選択画面３２への画面遷移で表示することになるサムネイルを先行して作成してもよい。尚、オリジナルのタイトルリスト選択画面３１とプレイリストのタイトルリスト選択画面３４間の遷移ではサムネイルを表示しないため、先行作成は行わない。
【００４６】
さらに、タイトル映像選択画面３２（３５），チャプタ映像選択画面３３（３６）は、切替表示可能な複数ページで構成されているため、特徴映像作成手段１７は、任意のページの特徴映像が表示されたときに、そのページよりも前あるいは後の所定ページ分（例えば、後２ページ分）にわたって表示されるサムネイルを表示可能性が高いと判断して先行作成してもよい。
【００４７】
図４は、本発明が適用されるＡＶデータの特徴映像作成／表示方法の一例を説明するためのフロー図である。本例では、図１に示した記録再生装置１０により処理が実行されるものとして説明する。
まず、記録再生装置１０は、特徴映像（以下、サムネイル）がメモリ１２にキャッシュされているかどうか判断し（ステップＳ１１）、メモリ１２にキャッシュされている場合（ＹＥＳの場合）、ステップＳ１６に移行して、メモリ１２からサムネイルを読み込んで（ステップＳ１６）、表示手段２０に表示する（ステップＳ１７）。また、上記ステップＳ１１において、メモリ１２にキャッシュされていない場合（ＮＯの場合）、サムネイルがＨＤ１８にキャッシュされているかどうか判断し（ステップＳ１２）、ＨＤ１８にキャッシュされている場合（ＹＥＳの場合）、ＨＤ１８からメモリ１２にサムネイルを読み込み（ステップＳ１５）、さらに、メモリ１２からサムネイルを読み込んで（ステップＳ１６）、表示手段２０に表示する（ステップＳ１７）。
【００４８】
次に、上記ステップＳ１２において、ＨＤ１８にキャッシュされていない場合（ＮＯの場合）、サムネイルを作成し（ステップＳ１３）、ＨＤ１８又はメモリ１２に保存し（ステップＳ１４）、保存したサムネイルを表示手段２０に表示する（ステップＳ１７）。
【００４９】
図５は、複数の特徴映像を並列に作成する処理の一例を説明するためのフロー図である。本例では、特徴映像作成手段１７がデコーダを複数備えており、特徴映像（サムネイル）を２個以上同時に作成し、作成した順に表示することができる。
まず、記録再生装置１０は、メモリ１２あるいはＨＤ１８に保存されているサムネイルを表示し（ステップＳ２１）、作成していないサムネイルがあったら一方のデコーダを用いて作成開始し（ステップＳ２２）、さらに、作成していないサムネイルがあったら他方のデコーダを用いて作成開始し（ステップＳ２３）、サムネイルの完成通知を待つ（ステップＳ２４）。
【００５０】
次に、上記ステップＳ２４で完成したサムネイルをＨＤ１８又はメモリ１２に保存し（ステップＳ２５）、保存したサムネイルを作成した順に表示手段２０に表示する（ステップＳ２６）。さらに、未作成のサムネイルがあるかどうか判断し（ステップＳ２７）、未完成のサムネイルがある場合（ＹＥＳの場合）、上記ステップＳ２３に戻り処理を繰り返す。また、上記ステップＳ２７において、未完成のサムネイルがない場合（ＮＯの場合）、そのまま終了する。
【００５１】
図６は、記録再生装置１０における特徴映像の格納方法の一例を示す図である。図６（Ａ）は特徴映像毎にファイルを作成する方法について示す図で、図６（Ｂ）は特徴映像と管理情報のペアを１つのファイルに記録する方法について示す図で、図６（Ｃ）は特徴映像と管理情報をそれぞれ１つのファイルに記録する方法について示す図である。
図６（Ａ）に示すように、特徴映像毎にファイルを作成する場合、ディスクの使用量を少なくすることはできるが、ファイルの作成と削除を繰り返すと、ディスク上の領域が断片化し、アクセス速度が遅くなる。また、図６（Ｂ）に示すように、特徴映像データと管理データのペアを１つのファイルに記録した場合は、管理データのアクセスにランダムアクセスが必要になり、アクセス速度が遅くなる。例えば、特徴映像データの大きさが１００ｋバイト程度のとき、例えば１０００個の特徴映像を記録すると１００Ｍバイト程度のファイルをランダムアクセスする必要が生じる。
【００５２】
図６（Ａ）及び（Ｂ）に示すファイル構成に対して、図６（Ｃ）に示すように、管理情報をサムネイルファイルから独立した１つのファイルで構成する。これにより、予め必要な個数分を確保しておくので、ＨＤ１８のディスクが断片化することがない。また、外部入力Ｉ／Ｆ１５を介して接続したＤＶＤ２１を入れ替えたときに、特定のＤＶＤ２１に記録されていたサムネイルのキャッシュを破棄する場合、これに応じた全てのサムネイルを消去せず、管理情報に含まれる有効／無効の情報を無効にセットするだけでよく、サムネイルファイルそのものを変更する必要がなくなる。
【００５３】
尚、ＨＤ１８にキャッシュされたサムネイルはキャッシュ領域１８ｂの限度までは保存される。但し、タイトルまたはチャプタが消去された場合、その消去処理に伴ってサムネイルを消去してもよい。また、保存から所定期間経過したサムネイルを記録の古い順に消去するようにしてもよい。この場合、上記保存期間等の情報は管理情報１８ｃで管理する。
【００５４】
図７は、記録再生装置１０による特徴映像作成処理の他の例を説明するための図である。
図７（Ａ）において、制御部１１は、特徴映像作成手段１７に対して行った特徴映像作成要求を停止させるための特徴映像作成停止要求を行い、さらに、次の特徴映像作成要求を行う。これにより、図３に示したＡＶデータの選択画面の遷移で必要とするサムネイルが変わる場合などに、サムネイル作成処理を停止し、次のサムネイルを新たに作成することができる。但し、作成処理を中断したサムネイルは表示されない。
【００５５】
また、図７（Ｂ）において、制御部１１は、特徴映像作成手段１７に対して特徴映像作成停止要求を行わずに特徴映像作成要求を行うようにしてもよい。この場合、サムネイル作成処理を停止せずに、順次作成要求を行って、次々にサムネイルを作成していく。例えば、特徴映像作成手段１７がデコーダを複数備えていれば、作成要求に対する完了通知を待たずに、次の作成要求を行うことができ、２個以上のサムネイルを同時に作成することができる。
【符号の説明】
【００５６】
１０…記録再生装置、１１…制御部、１２…メモリ、１３…ユーザＩ／Ｆ、１４…受信手段、１５…外部入力Ｉ／Ｆ、１６…再生手段、１７…特徴映像作成手段、１８…記録媒体（ＨＤ）、１８ａ…ＡＶデータ領域、１８ｂ…キャッシュ領域、１８ｃ…管理情報、１９…操作入力手段、２０…表示手段、２１…外部記録媒体（ＤＶＤ）、３１，３４…タイトルリスト選択画面、３２，３５…タイトル映像選択画面、３３，３６…チャプタ映像選択画面。
【図１】
0004693914.tif 000002
【図２】
0004693914.tif 000003
【図３】
0004693914.tif 000004
【図４】
0004693914.tif 000005
【図５】
0004693914.tif 000006
【図６】
0004693914.tif 000007
【図７】
0004693914.tif 000008